(57)【要約】      （修正有）【課題】告知広告具は、陳列棚のレールを利用して告知広告具自体を自由に移動でき、且つ、告知面を複数有する新規な広告告知具であり、多忙な時間内であっても必要な箇所の説明文等を容易に替えうる新規な告知広告具を提供する。【解決手段】本体中央部が長手形状の斜面部からなる第１告知面２と、前面は略垂直面からなる第２告知面３と、後面は略垂直面となる棚段レール部に差込み可能な差込み溝部４とからなる一体型の陳列用告知具１である。【選択図】図３
0003110414.tif 000002
【実用新案登録請求の範囲】
【請求項１】
本体中央部が長手形状の斜面部からなる第１告知面と、前面は略垂直面からなる第２告知面と、後面は略垂直面となる棚段レール部に差込み可能な差込み溝部とからなる一体型の陳列用告知具。
【請求項２】
上記第１告知面は、上・下端部に告知紙を嵌め込む溝を有してあることを特徴とする請求項１記載の陳列用告知具。
【請求項３】
上記第２告知面は、告知面の裏側端部近傍に係止用突起体を設けて溝付き透明板をスライド可能に係止することを特徴とする請求項１記載の陳列用告知具。
【請求項４】
上記差込み溝部は、裏側上端部に軟質樹脂部を嵌合する樹脂嵌合溝を有して、前記軟質樹脂と接合する半球状硬質樹脂カバー体を上下にめくることが可能に取り付けることを特徴とする請求項１〜３記載の陳列用告知具。
【請求項５】
上記半球状硬質樹脂カバー体は、上・下端部に告知紙を嵌め込む溝を有して第３告知面となることを特徴とする請求項１〜４記載の陳列用告知具。
【考案の詳細な説明】
【技術分野】
【０００１】
本考案の陳列用告知具は、陳列棚に載置される商品についての説明や値段を印刷した紙面を複数面に挟持できる陳列用告知具に関し、さらに詳しくは、棚段端部のレール上に係止できるとともに、さらに告知面を有する開閉蓋を取り付けてある新規な形状の陳列用告知具に関するものである。
【背景技術】
【０００２】
従来、略水平のベース部の前端部に設けた略垂直又は傾斜を有する前側衝立板に広告告知部を設けた告知広告具は、特開２０００−３１５０５０号「告知広告具」や特開２０００−２３７００１号公報「商品陳列トレイ」に開示されて公知である。
【０００３】
これらの告知広告具は、告知広告部が前側衝立板に固定のために設置する商品陳列棚台の高さによっては見にくいという欠点を有していたため、前端部に略垂直に起立する前側衝立板に固定するジョイント部を設け、該ジョイント部に脱着可能な広告告知部の基部を着脱自在且つ回動自在に取り付けて、上下複数段に重なる商品陳列台に載置して、購読者の目線で視認できる広告具を、実用新案第３１０４７７６号公報「告知広告具」は開示している。
【特許文献１】特開２０００−３１５０５０号公報
【特許文献２】特開２０００−２３７００１号公報
【特許文献３】実用新案第３１０４７７６号公報
【考案の開示】
【考案が解決しようとする課題】
【０００４】
しかしながら、上記の告知広告具は何れも告知広告部を商品陳列台やベース部等の前側衝立板を利用して設けており、一旦、本体側である商品陳列台やベース部を設置すると当然に前側衝立板に取り付けられた告知広告部も固定されてしまうという形状上の制限があった。
【０００５】
また、上記の告知広告具の告知部は、一面にしか商品についての説明や値段を印刷した紙面を挟持したり、貼付したりすることができないために商品の説明文や値段等を時間等によって替えたい場合に、張り替え作業に時間を要するという欠点を有していた。
【課題を解決するための手段】
【０００６】
本考案者は斯かる課題を解決するために鋭意研究したところ、陳列棚のレールを利用して告知広告具自体を自由に移動でき、且つ、告知面を複数有する新規な広告告知具を見いだし、本考案を提供することができた。
【０００７】
即ち本考案の第一は、本体中央部が長手形状の斜面部からなる第１告知面と、前面は略垂直面からなる第２告知面と、後面は略垂直面となる棚段レール部に差込み可能な差込み溝部とからなる一体型の陳列用告知具である。
【０００８】
本考案の第二は、上記第１告知面は、上・下端部に告知紙を嵌め込む溝を有してあることを特徴とする請求項１記載の陳列用告知具である。
【０００９】
本考案の第三は、上記第２告知面は、告知面の裏側端部近傍に係止用突起体を設けて溝付き透明板をスライド可能に係止することを特徴とする請求項１記載の陳列用告知具である。
【００１０】
本考案の第四は、上記差込み溝部は、裏側上端部に軟質樹脂部を嵌合する樹脂嵌合溝を有して、前記軟質樹脂と接合する半球状硬質樹脂カバー体を上下にめくることが可能に取り付けることを特徴とする請求項１〜３記載の陳列用告知具である。
【００１１】
本考案の第五は、上記半球状硬質樹脂カバー体は、上・下端部に告知紙を嵌め込む溝を有して第３告知面となることを特徴とする請求項１〜４記載の陳列用告知具である。
【考案の効果】
【００１２】
本考案の陳列用告知具は、陳列棚のレールを利用して告知具本体の差込み溝を利用して略垂直に任意な箇所に固定できるために、商品毎の対応が容易にできるものである。
【００１３】
本考案の陳列用告知具は、第１及び第２告知面を有していることから商品の説明や値段面を簡易に替えうることができるため、多忙な販売時間内であっても必要な説明文や値段のみを取替えて顧客にＰＲを容易にできるものである。
【００１４】
さらに陳列用告知具本体に、脱着できる半球状の透明カバー体を取り付けることができるために、この半球状カバー体表面を第３告知面として利用してより多くの情報を顧客に与えることができるものである。
【考案を実施するための最良の形態】
【００１５】
以下、図面を参照して本考案の詳細を説明するが、本考案の範囲はこれらに限定されるものではない。
【実施例１】
【００１６】
図１は、本考案に係る陳列用告知具を示す斜視図であり、該陳列用告知具１は、本体中央部に斜め形状の第１告知面２と、前端部に略垂直面を有する前部脚部５からなる第２告知面３と、後部に陳列棚のレールに差込んで固定する後部背板部６と後部脚部７とから構成される差込み部４とを一体成形で製造している。
【００１７】
この場合、上記第１告知面２は、斜面を形成する板状体の上・下面に折り重なる溝部を設けて説明文や値段等の告知紙を両脇から挿入して挟持できるようにしている。
【００１８】
また、第２告知面である略垂直な前端面の裏側には図２に示すように透明カバー係止用突起部１１を設け、該第二告知面に左右側から透明カバー体を嵌め込んで取り付け可能とし、説明文や値段等の告知紙を第２告知面と透明カバー体の内側で挟持するようにしている。
【実施例２】
【００１９】
本考案の別な形態の陳列用告知具の斜視図を図３で示すが、この陳列用告知具は、実施例１で示す陳列用告知具を基に、前記後部背板部６の上端部に設けた樹脂嵌合溝１０を利用して、半球状の硬質樹脂からなる透明カバー体１３を軟質樹脂板１２と接合して上下に回動自在に構成されている。
【００２０】
この場合、上記透明カバー体１３の上・下端部は、上・下面に折り重なる溝部を設けて説明文や値段等の告知紙を両脇から挿入して挟持できる第３告知面として利用できるようにしている。  
【図面の簡単な説明】
【００２１】
【図１】本考案に係る陳列用告知具を示す斜視図である。
【図２】図１におけるＡ方向から見た断面図である。
【図３】本考案に係る別な形態の陳列用告知具を示す斜視図である。
【図４】図２におけるＡ方向から見た断面図である。
【符号の説明】
【００２２】
１・・・陳列用告知具本体
２・・・第１告知面
３・・・第２告知面
４・・・レール差込み溝部
５・・・前部脚部
６・・・後部背板部
７・・・後部脚部
８・・・上部溝部
９・・・下部溝部
１０・・樹脂嵌合溝
１１・・透明カバー係止用突起部
１２・・軟質樹脂板
１３・・透明カバー体（第３告知面）
１４・・溝部
【図１】
0003110414.tif 000003
【図２】
0003110414.tif 000004
【図３】
0003110414.tif 000005
【図４】
0003110414.tif 000006